(57)【要約】      （修正有）【課題】監視範囲確認が安全に行うことができる検知器の監視範囲確認器を提供する。【解決手段】所定の監視範囲を有する検知器またはその近傍に取り付けられ、前記監視範囲を監視対象に照射する光源を取付する光源部と、前記光源を点灯または消灯に切替する操作部と、前記光源部を回転可能に載置するとともに、その回転を制限する制動部と、を設けた検知器の監視範囲確認器であって、前記制動部と前記操作部とは、双方の間隔を縮めるように付勢されたバネを介して連結され、前記操作部が前記光源を点灯中に、前記制動部は前記光源部を回転可能に弱く押さえる一方で、前記操作部が前記光源を消灯中に、前記制動部は前記光源部を回転不可能に強く押さえる。【選択図】図２
2009244998.tif 000002
【特許請求の範囲】
【請求項１】
所定の監視範囲を有する検知器またはその近傍に取り付けられ、前記監視範囲を監視対象に照射する光源を取付する光源部と、前記光源を点灯または消灯に切替する操作部と、前記光源部を回転可能に載置するとともに、その回転を制限する制動部と、を設けた検知器の監視範囲確認器であって、
前記制動部と前記操作部とは、双方の間隔を縮めるように付勢されたバネを介して連結され、前記操作部が前記光源を点灯中に、前記制動部は前記光源部を回転可能に弱く押さえる一方で、前記操作部が前記光源を消灯中に、前記制動部は前記光源部を回転不可能に強く押さえることを特徴とする検知器の監視範囲確認器。
【請求項２】
所定の監視範囲を有する検知器またはその近傍に取り付けられ、前記監視範囲を監視対象に照射する光源を取付する光源部と、前記光源を点灯または消灯に切替する操作部と、前記光源部を回転可能に載置する基台部と、を設けた検知器の監視範囲確認器であって、
前記基台部と前記操作部とはダンパを介して連結され、前記操作部が前記光源を点灯させるときは、ほぼ同時に前記光源が点灯される一方で、前記操作部が前記光源を消灯させるときは、前記光源が点灯時よりも遅延時間をもって消灯されることを特徴とする検知器の監視範囲確認器。
【発明の詳細な説明】
【技術分野】
【０００１】
本発明は、監視領域に設置された検知器（例えば火災検知器等）の監視範囲を確認する検知器の監視範囲確認器に関する。
【背景技術】
【０００２】
従来の炎感知器の監視領域の確認方法及びそれに用いる装置は、レーザポインタ等の直線状の光を照射する光源を炎感知器の取付ベースの位置に置いて所定の角度に傾斜させた状態で回転させ、床面等に照射された光の軌跡を目視することにより炎感知器の監視領域を確認していた。（特許文献１参照）
【特許文献１】特開２００２−０８３３７９号公報
【発明の開示】
【発明が解決しようとする課題】
【０００３】
従来の炎感知器の監視領域の確認方法及びそれに用いる装置においては、光源はスイッチをＯＮにすると常時点灯したり、常時点滅させていた。よって、装置使用中は継続して光源が発光するので、特に、光源がレーザポインタの場合、作業者の安全面において問題があった。また、バッテリの寿命が短くなるものであった。
【０００４】
本発明は、監視範囲確認が安全に行うことができる検知器の監視範囲確認器を提供することを目的とする。
【課題を解決するための手段】
【０００５】
本発明の検知器の監視範囲確認器は、所定の監視範囲を有する検知器またはその近傍に取り付けられ、前記監視範囲を監視対象に照射する光源を取付する光源部と、前記光源を点灯または消灯に切替する操作部と、前記光源部を回転可能に載置するとともに、その回転を制限する制動部と、を設けた検知器の監視範囲確認器であって、前記制動部と前記操作部とは、双方の間隔を縮めるように付勢されたバネを介して連結され、前記操作部が前記光源を点灯中に、前記制動部は前記光源部を回転可能に弱く押さえる一方で、前記操作部が前記光源を消灯中に、前記制動部は前記光源部を回転不可能に強く押さえることを特徴とするものである。
【０００６】
また、本発明の検知器の監視範囲確認器は、所定の監視範囲を有する検知器またはその近傍に取り付けられ、前記監視範囲を監視対象に照射する光源を取付する光源部と、前記光源を点灯または消灯に切替する操作部と、前記光源部を回転可能に載置する基台部と、を設けた検知器の監視範囲確認器であって、前記基台部と前記操作部とはダンパを介して連結され、前記操作部が前記光源を点灯させるときは、ほぼ同時に前記光源が点灯される一方で、前記操作部が前記光源を消灯させるときは、前記光源が点灯時よりも遅延時間をもって消灯されることを特徴とするものである。
【発明の効果】
【０００７】
本発明の検知器の監視範囲確認器の効果は、監視範囲を目視確認するためにレーザ光源を回転させるときだけレーザ光源が点灯するので、極めて安全に作業ができる。また、バッテリを長寿命化できる。
【発明を実施するための最良の形態】
【０００８】
実施の形態１
図１は、本発明の実施の形態１における検知器の監視範囲確認器を炎検知器に取付した外観斜視図である。図２は、本発明の実施の形態１における検知器の監視範囲確認器の構成図である。図３は、本発明の実施の形態１における検知器の監視範囲確認器の回転軸部の拡大断面図である。
である。
【０００９】
図１〜図３において示されるように、ベース１は板状をなし、例えば、火災検知器２０の天面に螺着する。フレーム２は板状をなし、一端はベース１に取付され、レーザ光を発する光源６およびその回転機構を載置する取付穴２ａを有する。光源取付板３は略Ｌ字の板状をなし、底板の中央にボルト１０の外径より少し大きい直径の貫通孔を有する。また、側板に光源６が斜め下方に照射するように光源６の胴部を保持するホルダ９が取付される。制動部品４はフランジ形状をなし、中央にボルト１０の外径と略同一の直径の貫通孔を有する。また、制動部品４は、フレーム２の取付穴２ａに嵌合し、取付穴２ａと略同一の直径の小径部４ａを有する。
制動部品（ハンドル）５はフランジ形状をなし、鍔部はハンドルをなし、その外周面は手で掴みやすいように筋目状となっている。また、制動部品５は、フレーム２の取付穴２ａに嵌合し、取付穴２ａと略同一の直径の小径部５ａを有する。さらに、中央にボルト１０の外径より少し大きい直径の貫通孔を有する。なお、制動部品５は、固定手段（図示せず）によって光源取付板３と一体化されている。
【００１０】
光源取付板３および制動部品５がフレーム２の取付面上を回転できるように、その回転軸の穴に挿入されたボルト１０がワッシャ１１を介して制動部品４、フレーム２、制動部品５、光源取付板３の順番にナットで共締めされる。
このとき、フレーム２の取付穴２ａの両面から制動部品４の小径部４ａと制動部品５の小径部５ａを嵌めると、フレーム２の取付穴２ａの近傍でフレーム２と制動部品４および制動部品５が面接触する。
そして、ボルト１０を強く締付けすると、制動部品４および制動部品５とフレーム２との接触面の摩擦が大きくなって光源取付板３および制動部品（ハンドル）５が回転できない。一方、ボルト１０の締付けを少し緩めて弱く締付けすると、制動部品４および制動部品５とフレーム２との接触面の摩擦が小さくなって光源取付板３および制動部品５（ハンドル）が回転できる。
【００１１】
ワッシャ１１は、例えば、汎用品の中で弾力性に富んでいるウェーブワッシャを選択すれば、ナットが緩まないままで制動部品４および制動部品５とフレーム２との摩擦力を調整できる。また、ウェーブワッシャの代わりに、平ワッシャ、バネワッシャ等を用いてもよい。なお、それらを組み合わせて複数用いても良い。
【００１２】
光源６は、例えば、レーザポインタであり、胴部のスイッチ７が押される（ＯＮされる）間は可視光のレーザが点灯して監視領域に照射される。また、スイッチ７が元に戻される（ＯＦＦされる）と消灯する。作業者はスイッチ７脇の表示灯の点灯／消灯によりスイッチ７の状態を判別できる。光源６のスイッチ７、表示灯、スイッチ７をＯＮの状態に保持するためのＯリング８、を有する操作部において、Ｏリング８は操作部の外周に取付られ、スイッチ７が押される（ＯＮされる）位置とスイッチ７が元に戻される（ＯＦＦされる）位置との間を往復移動可能とされる。また、Ｏリング８はフック部品（図示せず）を介してバネ部品（例えば、コイルバネ等）１２の一方の支持部材と固定されている。さらに、バネ部品１２の他方の支持部材は制動部品４の底面に固定されている。
【００１３】
通常は、Ｏリング８がスイッチ７より先端側の位置にあって光源６のスイッチ７を押さないとともに、バネ部品１２が伸びており、制動部品４および制動部品５とフレーム２との接触面の摩擦が大きくなって制動部品（ハンドル）５は回転できない。一方、監視範囲の確認時は、Ｏリング８が後端側のスイッチ７を押す位置に移動するとともに、バネ部品１２が縮んでおり、制動部品４および制動部品５とフレーム２との接触面の摩擦が小さくなって制動部品（ハンドル）５は回転できる。従って、Ｏリング８の往復動作とバネ部品１２との伸縮動作を連動することで、監視範囲の確認時だけ光源６を照射することができる。
【００１４】
本発明の実施の形態１における検知器の監視範囲確認方法を説明する。まず、監視領域に取付された火災検知器２０の取付面にベース１を取付する。監視範囲確認の準備完了後に、Ｏリング８を操作部の外周のスイッチ７を押す位置まで移動させ、光源６を照射させる。同時に、バネ部品１２が縮んで制動部品（ハンドル）５が回転可能となる。次に、制動部品（ハンドル）５を掴んで回してレーザ照射光の軌跡により監視範囲を確認する。次に、スイッチ７が押されない位置にＯリング８を戻して、光源６の照射を停止する。同時に、バネ部品１２が伸びて制動部品（ハンドル）５が回転できなくなる。最後に、火災検知器２０の取付面からベース１を取り外す。この検知器の監視範囲確認器は、直接火災検知器２０に取付せずに、火災検知器２０の近傍の設置面に取付してもよい。
【００１５】
実施の形態２
図４は、本発明の実施の形態２における検知器の監視範囲確認器の構成図である。実施の形態２は、実施の形態１のバネ部品１２をダンパ部品１３とした点以外では、その名称も機能も同一である。Ｏリング８は、フック部品（図示せず）を介してダンパ部品１３の一方の支持部材と固定されている。
【００１６】
ダンパ部品１３は、Ｏリング８でスイッチ７が押される（ＯＮされる）位置に移動する速度と、Ｏリング８でスイッチ７が元に戻される（ＯＦＦされる）位置に移動する速度とに差をもたせるものである。つまり、ダンパ部品１３の一方の支持部材が、Ｏリング８でスイッチ７が押される（ＯＮされる）方向に移動するときは、ダンパ部品１３のシリンダ内のピストン１２がフリーで同時に順方向に動くために、即座にスイッチ７が押されて光源６が点灯する。一方、ダンパ部品１３の一方の支持部材が、Ｏリング８でスイッチ７が戻される（ＯＦＦされる）方向に移動するときは、ダンパ部品１３のシリンダ内のピストン１２が抵抗を受けてゆっくりと逆方向に動くために、遅れてスイッチ７が戻されて光源６が消灯する。また、ダンパ部品１３の減衰力により、遅れ時間を設定できる。従って、Ｏリング８の往復動作とダンパ部品１３の往復動作を連動することで、監視範囲の確認後においても、わずかな時間は光源６の照射光によって監視範囲を確認できる。
【図面の簡単な説明】
【００１７】
【図１】本発明の実施の形態１における検知器の監視範囲確認器を炎検知器に取付した外観斜視図である。
【図２】本発明の実施の形態１における検知器の監視範囲確認器の構成図である。
【図３】本発明の実施の形態１における検知器の監視範囲確認器の回転軸部の拡大断面図である。
【図４】本発明の実施の形態２における検知器の監視範囲確認器の構成図である。
【符号の説明】
【００１８】
１  ベース
２  フレーム
２ａ  取付穴
３  光源取付板
４  制動部品
４ａ  小径部
５  制動部品（ハンドル）
５ａ  小径部
６  光源
７  スイッチ
８  Ｏリング
９  ホルダ
１０  ボルト
１１  ワッシャ
１２  バネ部品
１３  ダンパ部品
２０  火災検知器
【図１】
2009244998.tif 000003
【図２】
2009244998.tif 000004
【図３】
2009244998.tif 000005
【図４】
2009244998.tif 000006